(57)【特許請求の範囲】
【請求項１】
パチンコ球を貯留する受け皿と、同受け皿内のパチンコ球をレール部材方向に流下させる流下通路と、同流下通路を流下してくるパチンコ球を同レール部材の直前で一旦停止させるとともにパチンコ球を１つずつ同レール部材方向に送る球送り機構と、同球送り機構から送り出されたパチンコ球を同レール部材に案内させながら遊技領域に向かって発射するパチンコ球発射機構とを備えたパチンコ遊技機において、  前記球送り機構は、  前記流下通路を流下してきたパチンコ球を導入する導入口が形成された前方壁と、  磁気作用部が下方に向かって配置されたソレノイドと、  自身を揺動可能に支持する揺動軸と、同ソレノイドの磁気作用部による磁気力によって吸引される吸引部と、前記揺動軸との間に同吸引部を挟む側方位置に突設された球保持部とを備えたレバーとを有し、  同レバーは同レバーの吸引部が同磁気作用部から所定間隔離間した位置に配置されるとともに、前記導入口に面して形成された突部と前記球保持部との間でパチンコ球の径よりも狭い隘路が形成されてパチンコ球を保持できるように載置部上に載置される第１の状態と、  前記ソレノイドの吸着動作によって上方に揺動して前記突部と球保持部との間隔をパチンコ球の径以上の間隔とする第２の状態とを取りうるものとし、  前記載置部を前記球保持部の下方位置よりも前記回動軸寄りであって前記レバーの下面位置に配置させたことを特徴とするパチンコ遊技機。
【請求項２】
前記レバーは上面に前記吸引部が形成され略水平に延出された水平部と、同水平部から下垂され前記球送り機構内に導入されたパチンコ球を前記レール部材方向に導く傾斜面が形成された下垂部から構成される本体部を備え、前記載置部は同水平部及び下垂部によって区画された範囲内に配置されていることを特徴とする請求項１に記載のパチンコ遊技機。
【請求項３】
前記導入口に面して形成されたパチンコ球の落下通路の上部位置であって、かつ前記レバーに隣接する位置には遮蔽壁が形成されていることを特徴とする請求項２に記載のパチンコ遊技機。
【請求項４】
前記載置部の上面は前記導入口の最下縁部と略同高さとされていることを特徴とする請求項１〜３のいずれかに記載のパチンコ遊技機。
【請求項５】
前記下垂部には前後方向に張り出した遮蔽壁が形成されていることを特徴とする請求項１〜４のいずれかに記載のパチンコ遊技機。
【発明の詳細な説明】
【技術分野】
【０００１】
本発明は、受け皿に貯留されたパチンコ球をパチンコ球発射機構に発射可能に安定供給するための球送り機構を有するパチンコ遊技機に関するものである。
【背景技術】
【０００２】
パチンコ遊技機においては遊技者の能動的なハンドル操作によってパチンコ球発射機構を駆動させパチンコ球を発射させることで遊技が実行される。パチンコ球発射機構から発射されたパチンコ球はレールに沿って弧を描きながら上方に導かれ遊技領域内に放出されることとなる。  上受け皿に貯留されたパチンコ球は上受け皿から流下通路によって導かれてパチンコ球発射機構に供給されるようになっている。流下通路の最下部位置、つまりパチンコ球発射機構に隣接した位置には球送り機構が配設されている。流下通路を流下するパチンコ球は球送り機構を経由してパチンコ球発射機構によって打ち出しされるレール上の所定位置に送られるようになっている。球送り機構はパチンコ球発射機構の発射動作に同期してパチンコ球を１つずつレール上に送り出していく。  このような従来の球送り機構が開示されたパチンコ遊技機の一例として特許文献１を示す。この特許文献１に示された球送り機構について図１５及び図１６に基づいてより詳しく説明する。  
【０００３】
遊技機本体の前面下部位置には発射機構部１１１が配設されている。発射機構部１１１はベース板１１２前面に固着された発射用レール１１３と、発射用レール１１３後方のパチンコ球発射装置１１４と、パチンコ球発射装置１１４と重複状に配設された球送りユニット１１５から構成されている。  球送り機構としての球送りユニット１１５の本体ケース１１６には流下通路を流下してきたパチンコ球を本体ケース１１６内に導入するための導入口１１７が形成されている。本体ケース１１６内部にはソレノイド１１９が配設されており、発射機構部１１１の発射動作に同期して励磁されて磁気力を発生させるようになっている。ソレノイド１１９の下部位置には略扇形状のレバー１２０が扇のかなめ位置に形成された揺動軸１２１によって揺動可能に支持されている。レバー１２０の上面には吸引部としての鉄片１２２が取着されている。レバー１２０の図１５における右下方位置には後方（レール側）に下がった傾斜面を有する案内部１２３が形成されている。  
【０００４】
レバー１２０はソレノイド１１９が励磁されていない時には図１５における実線の位置、つまり本体ケース１１６において導入口１１７の下方位置に配置されている載置部１２４上に載置されている。より具体的にはレバー１２０の案内部１２３の下面によって載置部１２４上に載置されている。この状態においてはレバー１２０の図１５における右側部に形成されている球保持部としての角部１２５と導入口１１７に面した突部としての棚部１２６の先端部１２７との間の間隔がパチンコ球Ｂの直径よりも狭くなっているため、同図１５のようにパチンコ球Ｂは角部１２５と先端部１２７とによって保持されて落下することはない。  ここで、ソレノイド１１９が励磁されるとレバー１２０は図１５における破線の位置、つまり上方に揺動した位置に移動するため角部１２５と先端部１２７との間隔が広がることとなる。これによってパチンコ球Ｂは落下し、更にレバー１２０に形成された案内部１２３の傾斜した案内面を転動して発射用レール１１３上に送り出されることとなる。    
【特許文献１】特開２００５−１０２７７０号公報
【発明の開示】
【発明が解決しようとする課題】
【０００５】
ところで、パチンコ遊技においてしばしば遊技者は飲料水を飲みながら遊技を行っている。そして誤って上受け皿に飲料水をこぼしてしまうことがあった。その場合に、こぼれた飲料水が上受け皿から流下通路を伝い導入口１１７から球送りユニット１１５内に浸入してしまうことがあった。このような飲料水は球送りユニット１１５内に浸入するとバー１２０や本体ケース１１６内部を汚染してしまうこととなる。ここで、特に問題となるのは砂糖分や果汁分の多い飲料水である。これらの飲料水は乾くにつれてその糖分で糊のようにべたついて粘着性を生じる傾向にあるため、このような飲料水がこぼれた場合には可動部品の動作を妨げる可能性があるからである。  上記従来の球送りユニット１１５では特に案内部１２３と載置部１２４付近が浸入した糖分の多い飲料水に汚染されると水分の蒸発に伴う飲料水の粘着力で接着されてしまい、ソレノイド１１９が励磁されたにも関わらずレバー１２０が上方に揺動できない、あるいは揺動するもののパチンコ球発射装置１１４の発射動作に正確に同期させられないという不具合が生じる場合があった。  本発明は、このような従来の技術に存在する問題点に着目してなされたものである。その目的とするところは、受け皿に誤ってこぼした乾燥によって粘着性を有することとなる飲料水が球送り機構内部に浸入してソレノイドの励磁によって駆動されるレバーが汚染されたとしても同レバーの揺動に不具合を生じさせないようなパチンコ遊技機を提供するものである。
【課題を解決するための手段】
【０００６】
上記の目的を達成するために請求項１の発明では、パチンコ球を貯留する受け皿と、同受け皿内のパチンコ球をレール部材方向に流下させる流下通路と、同流下通路を流下してくるパチンコ球を同レール部材の直前で一旦停止させるとともにパチンコ球を１つずつ同レール部材方向に送る球送り機構と、同球送り機構から送り出されたパチンコ球を同レール部材に案内させながら遊技領域に向かって発射するパチンコ球発射機構とを備えたパチンコ遊技機において、  前記球送り機構は、前記流下通路を流下してきたパチンコ球を導入する導入口が形成された前方壁と、磁気作用部が下方に向かって配置されたソレノイドと、自身を揺動可能に支持する揺動軸と、同ソレノイドの磁気作用部による磁気力によって吸引される吸引部と、前記揺動軸との間に同吸引部を挟む側方位置に突設された球保持部とを備えたレバーとを有し、  同レバーは同レバーの吸引部が同磁気作用部から所定間隔離間した位置に配置されるとともに、前記導入口に面して形成された突部と前記球保持部との間でパチンコ球の径よりも狭い隘路が形成されてパチンコ球を保持できるように載置部上に載置される第１の状態と、前記ソレノイドの吸着動作によって上方に揺動して前記突部と球保持部との間隔をパチンコ球の径以上の間隔とする第２の状態とを取りうるものとし、前記載置部を前記球保持部の下方位置よりも前記揺動軸寄りであって前記レバーの下面位置に配置させたことをその要旨とする。  
【０００７】
上記のような構成では、パチンコ遊技機においてパチンコ球発射機構にパチンコ球を送る球送り機構は、流下通路を流下してくるパチンコ球を導入口から導入するとレバーの第１の状態において突部と球保持部との間でパチンコ球を一旦保持することとなる。これはレバーの第１の状態においては突部と球保持部との間隔がパチンコ球の径よりも狭い隘路を形成しているからである。この第１の状態においてはソレノイドは励磁されていないためレバーの吸引部は磁気作用部に吸引されておらず所定間隔離間した配置状態とされている。そして、この第１の状態においてレバーが保持されるのはレバーが載置部上に載置されているためである。  一方、ソレノイドが励磁されることによってレバーは揺動軸を基部として瞬時に上方に揺動される。レバーの移動に伴って突部と球保持部との間隔が広がり、ソレノイドによって吸引された状態、つまりレバーの第２の状態では突部と球保持部との間隔をパチンコ球の径以上の間隔となるためパチンコ球は球送り機構を落下してレール部材に送られる。  
【０００８】
このような球送り機構の構成においてレバーを第１の状態で保持する載置部は球保持部の下方位置よりも前記揺動軸寄りであって前記レバーの下面位置に配置されている。つまり、球保持部は突部とともに導入口付近のパチンコ球を保持する位置に配置されるわけであるが、上受け皿に飲料水をこぼしてしまとその飲料水が流下通路を伝い、導入口から球送り機構内に浸入してしまうことがある。その場合には導入口近傍の球保持部や突部及びこれらに保持されたパチンコ球やこれらの下部位置に配置された球送り機構内の部材が汚染されてしまうこととなる。その場合には上記のように水分の蒸発に伴い粘性を帯びる飲料水の粘着力によってレバーの動作に不具合が生じてしまう可能性がある。  しかし、本発明では載置部は球保持部の下方位置よりも前記揺動軸寄りに配置されているため飲料水が及ぶ範囲、つまり導入口から浸入した下方に垂れていっても飲料水がかかる範囲からずれた位置にあるため汚染される可能性は極めて少ない。なおかつ、載置部はレバーの下面位置に配置されることからレバー自体が飲料水が載置部にかからないような機能を有する遮蔽壁の役割を果たすので汚染される可能性がより少なくなる。  
【０００９】
また、上記の目的を達成するために請求項２の発明では請
求項１に記載の発明の構成に加え、前記レバーは上面に前記吸引部が形成され略水平に延出された水平部と、同水平部から下垂され前記球送り機構内に導入されたパチンコ球を前記レール部材方向に導く傾斜面が形成された下垂部から構成される本体部を備え、前記載置部は同水平部及び下垂部によって区画された範囲内に配置されていることをその要旨とする。  このような構成のレバーにおいては水平部及び下垂部によって区画された範囲の斜め上方に飲料水が浸入する導入口が位置することとなる。つまり、載置部がこの範囲内に配置されれば飲料水が浸入してくる導入口方向が水平部及び下垂部によって完全に防護されることとなって載置部が汚染される可能性が少なくなる。  また、上記の目的を達成するために請求項３の発明では請求項２に記載の発明の構成に加え、前記導入口に面して形成されたパチンコ球の落下通路の上部位置であって、かつ前記レバーに隣接する位置に遮蔽壁を形成したことをその要旨とする。  導入口から飲料水が勢いよく浸入する場合には飛沫が周囲に飛び散るおそれがある。このように落下通路の上部位置であって、かつレバーに隣接する位置に遮蔽壁が形成されていれば、飛び散った飛沫を遮蔽してがレバー方向に及ばないようにすることが可能となる。  
【００１０】
また、上記の目的を達成するために請求項４の発明では請求項１〜３のいずれかに記載の発明の構成に加え、前記載置部の上面は前記導入口の最下縁部と略同高さとされていることをその要旨とする。  導入口から飲料水が浸入する場合、極めてまれではあるが大量の飲料水が流入すると導入口からあたかも滝のように広がって球送り機構内のかなりの範囲が汚染されてしまう可能性がある。ところが、このようにレバーが載置される載置部の上面が導入口の最下縁部と略同高さである場合には大量の飲料水が浸入してもこのような高い位置で横方向に広がることはあり得ないため、載置部が汚染される可能性はまったくなくなる。  ここに載置部の上面は前記導入口の最下縁部と「略同高さ」としたのは、まったく同じ高さの場合だけではなく載置部の汚染が確実に防止される範囲も含む意味である。  
【００１１】
また、上記の目的を達成するために請求項５の発明では請求項１〜４のいずれかに記載の発明の構成に加え、前記下垂部には前後方向に張り出した遮蔽壁が形成されていることをその要旨とする。  このようにすれば、確実に飲料水が載置部に及ばないようにできる。特に上記のように大量の飲料水が浸入したり、飛沫が飛び散るくらいに勢いよく飲料水が浸入してきたとしても場合に有効である。
【発明の効果】
【００１２】
上記各請求項に記載された発明では、こぼした飲料水が球送り機構内に浸入して内部を汚染したとしてもレバーを保持する載置部に飲料水がかかってしまう可能性が極めて少ないため載置部は汚染されず、載置部とレバーとが粘着性のある飲料水によって接着されてしまうことがなく、ソレノイドの励磁によってレバーが吸引されて揺動する際にその動作に不具合が生じてしまうことがない。
【発明を実施するための最良の形態】
【００１３】
以下、本発明の各実施の形態について図面に基づいて説明する。  まず、図１及び図２に基づいてパチンコ遊技機１１の構造の概略について説明する。パチンコ遊技機１１は支持枠体としての外枠１２を備えている。外枠１２は遊技ホールへの設置の際にいわゆる島設備に取り付けられる四角形に枠組みされた木製の枠体である。  外枠１２内には本体枠１４が装着されている。遊技体の一部をなす本体枠１４はパチンコ遊技機の構造的な中核を形成するパネル状の構成部材であって、外枠１２内において幕板１３上に配置されている。図２に示すように、本体枠１４は正面視において略長方形の外郭を備えたＡＢＳ製のパネルとされている。外枠１２に対して前方側に開放可能に取り付けられている。本体枠１４の背面にはパチンコ遊技機１１の制御を行う図示しない各種制御パネルが配設されている。  
【００１４】
図２に示すように、本体枠１４の下部領域１６の右寄りには発射機構部１７が形成されている。発射機構部１７については後述する。本体枠１４の下部領域１６の右寄りには後述する本体枠１４内部から放出される賞球等のパチンコ球を上受け皿３７及び下受け皿４１に分配するパチンコ球分配機構部１８が配設されている。  下部領域１６の上方には遊技盤取り付けスペース２０が形成され、遊技盤２１が同スペース２０内に配設されている。同スペース２０には略楕円形状に切り欠き形成された窓孔２３が形成され、遊技盤２１の遊技面２１ａが同窓孔２３から前方に露出されている。遊技面２１ａ上には、レール部材としての外レール２５と内レール２６が装着され遊技面２１ａにおける遊技領域を画している。  
【００１５】
本体枠１４の前面には扉枠３１が配設されている。図１に示すように、扉枠３１は本体枠１４の正面から見た外郭と略一致した長方形形状の外郭の正面形状を有している。扉枠３１は本体枠１４に対して開閉可能に取り付けられている。扉枠３１には遊技者が遊技面２１ａを目視するための目視用窓孔３２が形成されている。目視用窓孔３２位置には図示しないフレームに支持されたガラス板３３が扉枠３１裏面側に配設されている。  扉枠３１の前面側であって、目視用窓孔３２の左右及び上方には前方に膨出した装飾用パネル３５が配設されている。装飾用パネル３５内には図示しないスピーカ装置や図示しない装飾ランプが配設されている。目視用窓孔３２の下方位置には、前側へ膨出した第１の膨出部３６が設けられ、その第１の膨出部３６内側が上受け皿３７とされている。上受け皿３７は図示しない払出装置より払い出された遊技球を一旦貯留し、一列に整列させながら発射機構部１７方向に導くための球貯留部とされる。  
【００１６】
扉枠３１における第１の膨出部３６の下方位置には、前側へ膨出した第２の膨出部４０が設けられ、その第２の膨出部４０内側が下受け皿４１とされている。下受け皿４１はパチンコ球分配機構部１８によって分配されたパチンコ球を貯留したり、遊技者の能動的な操作に基づいて上受け皿３７から流下させたパチンコ球を貯留するための補助的な球貯留部である。装飾用パネル３３、第１の膨出部３６及び第２の膨出部４０は全体としてデザイン的な統一が図られている。正面から見て下受け皿４１の左方位置には灰皿４２が配設されている。下受け皿４１の右方位置にはパチンコ球発射用のハンドル４３が前方に突出形成されている。  
【００１７】
次に、前記発射機構部１７について詳しく説明する。発射機構部１７は遊技者のハンドル４３操作に基づいてパチンコ球を連続的に遊技面２１ａ方向に発射させるための構造を有する機構部である。  図２〜図４に示すように、発射機構部１７のベース板５０は下部領域１６の取り付けスペース５１にボルト５２によって固定されている。ベース板５０には発射用レール５３、パチンコ球発射装置５４及び球送り機構としての球送りユニット５５がそれぞれ取着されている。発射用レール５３はベース板５０の左方にその延出方向の延長線上に外レール２５が接続されるように左肩上がりに配置されている。発射用レール５３の上端５３ａと前記外レール２５の下部基端部２５ａとの間には跳躍空間４８が設けられている。発射されて外レール２５がに乗り移ったものの遊技面２１ａに達し得なかったパチンコ球は跳躍空間４８から落下してファール球通路４９から下受け皿４１に導かれるようになっている。  ベース板５０の右方位置には発射用ソレノイド５８が内蔵されたパチンコ球発射装置５４が配設されている。パチンコ球発射装置５４には発射用ソレノイド５８の励磁動作に応じて進退する発射桿５６が配設されている。パチンコ球発射装置５４は発射桿５６が発射用レール５３の延出方向と発射桿５６進退方向が一致するように発射用レール５３と同様ベース板５０に対して左肩上がりとなるように固定されている。  発射桿５６先端の打ち出しヘッド５６ａに隣接した上部位置にはストッパ５７が配設されている。球送りユニット５５から発射用レール５３上に送り出されたパチンコ球はストッパ５７に当接して停止させられる。この停止位置が発射桿５６によるパチンコ球の最適な打ち出し位置とされる。  
【００１８】
球送りユニット５５は発射用レール５３及びパチンコ球発射装置５４の上方に配設されている。  図６に示すように、球送りユニット５５はユニット本体６０と蓋６１を備えている。図６及び図９（ａ）〜（ｃ）等に示すように、ユニット本体６０は前方壁６０ａ、上方壁６０ｂ、左右側壁６０ｃ、６０ｄの４つの壁面から構成されている。前方壁６０ａは球送りユニット５５取り付けの際にパチンコ球発射装置５４と干渉しないように略台形に切り欠かれている。前方壁６０ａの対向位置に蓋６１が配設されることで球送りユニット５５は下面が開放されたボックス型形状を呈することとなる。尚、以下の球送りユニット５５の説明においては、図６における奥側を前側あるいは表側とし、手前側を後側あるいは裏側とする。また、図９（ａ）〜（ｃ）における左右方向をもって左右とする。  前方壁６０ａの裏面、つまりユニット本体６０の内側の２箇所には雌ネジ部が螺設された固定用脚部材６２が突設されており、ソレノイド６３がネジ６４によって同脚部材６２に固着されている。ソレノイド６３は磁気作用部となる磁心６３ａが下方に向かって露出させられるとともに、磁気作用部となるフレーム６３ｂによって包囲されている。ソレノイド６３は図９（ａ）〜（ｃ）に示すように、同図において（つまり後方から見て）右上がりとなるように若干傾斜させられた状態で固定されている。  
【００１９】
ソレノイド６３の下部位置にはレバー６５が配設されている。レバー６５は前方壁６０ａの裏面に形成された取り付け軸受け６６に対して揺動軸としてのリベット７４によって揺動可能に軸支されている。  レバー６５は軸受け６６位置からソレノイド６３の下方の近接した位置を横切るように水平に延出された水平部６７と同水平部６７の先端寄りから下方に向かって下垂された下垂部６８とから基本骨格が構成されている。水平部６７の上面には長方形に形成された鉄合金製の金属片７０が取着されている。  下垂部６８は横断面略方形の下垂部本体６９と下垂部本体６９の外側に形成された傾斜部７１から構成されている。傾斜部７１は後方（つまりベース板５０側）に向かって下がる傾斜面７１ａが形成されている。傾斜部７１の下垂部本体６９寄り側面には第１遮蔽壁７２が形成されている。第１遮蔽壁７２は下垂部本体６９よりも前後方向において幅広に構成されている。  レバー６５における水平部６７の下部位置には載置部としての小突片７３が形成されている。レバー６５は水平部６７の下面がこの小突片７３の上面によって支持されることによってソレノイド６３のフレーム６３ｂの下端からわずかに離間した位置に保持される。この小突片７３上にレバー６５が載置された状態がレバー６５の第１の位置に相当する。ユニット本体６０は下方が開放されているため小突片７３は下方から直接目視可能とされている。  図６、図１０〜図１２に示すように、下垂部本体６９の前方には上下方向に延びる突出部６９ａが形成されている。  
【００２０】
前方壁６０ａのソレノイド装置６３の右方位置には導入孔７５が形成されている。導入孔７５に面して前方壁６０ａの裏面には導入孔７５周囲を包囲する導入孔７５の補強を兼ねた筒状の導入通路７６が形成されている。図６及び図９（ａ）〜（ｃ）に示すように、導入通路７６には後方に向かって下がるように傾斜した第１傾斜部７７とレバー６５方向に向かって下がるように傾斜した第２傾斜部７８が形成されている。第２傾斜部７８の下端から下方に向かって垂直壁部７９が形成されており、この垂直壁部７９とレバー６５の下垂部６８との間がパチンコ球が落下する落下通路８０とされている。導入通路７６はレバー６５の下垂部６８方向が切り欠かれた形状とされ、導入孔７５から球送りユニット５５内に導入されたパチンコ球は第１及び第２傾斜部７７，７８によって導入通路７６を切り欠き方向に導かれ落下通路８０から発射用レール５３方向に導かれ
るようになっている。  導入通路７６のレバー６５側の側面はパチンコ球の落下通路８０方向への移動に支障のない程度に後方に張り出して第２遮蔽壁８３を構成している。導入通路７６の後部には係合部８４が形成されている。  
【００２１】
前方壁６０ａの裏面であってソレノイド６３の左方には後方に向かって突設されたラッチ片８５が形成されている。右側壁６０ｃには上下２箇所の切れ込み８６が形成されこの切れ込み８６に挟持された部分がラッチ片８７とされている。左側壁６０ｄの外側には上下一対の張り出しプレート８８が形成され、同各張り出しプレート８８から回動ピン８９が下垂されている。前方壁６０ａの前面には扉枠３１の位置決め用の突起９０が突設されている。  
【００２２】
蓋６１は後方壁６１ａ、上方小壁６１ｂ、左右小側壁６１ｃ、６１ｄの４つの壁面から構成されている。後方壁６１ａの左方位置には透孔９１及び係合縁９２が形成されている。後方壁６１ａの右側方には鈎状に形成された封塞片９３が突設されている。後方壁６１ａの右下方位置には下方に向かって突出した押さえ片９４が形成されている。  蓋６１がユニット本体６０に装着された状態で前記ユニット本体６０側のラッチ片８５は同係合縁９２に係合され、図８に示すように、封塞片９３は前記ユニット本体６０側の導入通路７６の後方に嵌合されるとともに封塞片９３前縁は係合部８４に係合されることとなる。この状態で図９（ｃ）に示すようにソレノイド６３及びレバー６５の水平部６７は前方壁６０ａ及び後方壁６１ａに前後から挟持されることとなる。また、図９（ｃ）に示すように、押さえ片９４は落下通路８０の上部位置後方に配置されることとなる。  前方壁６０ａ及び後方壁６１ａにはソレノイド６３と対峙する位置にそれぞれ放熱孔９５が形成されている。  
【００２３】
このような球送りユニット５５はベース板５０の上部位置に配設されたユニットベース９６前面に装着されている。図３及び図４に示すように、ユニットベース９６には前記掛止ピン８９が軸支される軸受け９７と前記ラッチ片８７が係合される透孔９８及び係合縁９９が形成されている。球送りユニット５５はユニットベース９６にセット状態された状態ではラッチ片８７が係合縁９９と係合されている。そしてラッチ片８７と係合縁９９との係合関係を解除することで掛止ピン８９を基部として図３に示すセット状態から図４に示すように前方に回動させることが可能となる。この図４の状態から球送りユニット５５を上方に持ち上げる掛止ピン８９が軸受け９７から抜け、球送りユニット５５をユニットベース９６から取り外すことができる。  
【００２４】
次に、このように構成されたパチンコ遊技機１１において、パチンコ球を球送りユニット５５を経由して発射用レール５３の打ち出し位置にセットさせる動作について説明する。  図１の扉枠３１を閉じた状態においては図３に示すように上受け皿３７から発射機構部１７方向にパチンコ球を導く流下通路１００の開口部１０１が球送りユニット５５の導入孔７５の前面位置に重複状に配置される。尚、下記に説明する球送りユニット５５による１回の球送り動作は実際はごく短時間に実行されるものである。  図９（ａ）及び図１０（ａ）はパチンコ球が球送りユニット５５内に導入される前の状態である。この状態では球送りユニット５５内のレバー６５は未だソレノイド６３が励磁されていないため、小突片７３によって支持された状態にある。  導入孔７５からパチンコ球Ｐが導入されるとパチンコ球Ｐは第１及び第２傾斜部７７，７８によって図９（ｂ）において若干左方向にシフトさせられながら転動する。  この時、導入通路７６の後方は蓋６１の後方壁６１ａによって封塞されているためパチンコ球Ｐは導入通路７６を後方に向かって転動してユニット５５外に飛び出してしまうことはない。  次いで、図９（ｂ）及び図１０（ｂ）に示すように転動したパチンコ球Ｐはレバー６５（水平部６７）の先端角部１０２と導入通路７６の第２傾斜部７８と垂直壁部７９の交差する角部１０３とによって落下通路８０方向に落下せずに落下通路８０入り口付近で一旦保持される。つまり、両角部１０２，１０３との間がパチンコ球Ｐの径よりも狭い隘路とされているため、ソレノイド６３の非励磁状態においてはこの位置でパチンコ球Ｐは待機させられることとなる。また、待機位置においては押さえ片９４によって後方側への転動が防止されている。  
【００２５】
このようなパチンコ球Ｐの待機状態にあって、遊技者のハンドル４３の操作に基づいてパチンコ球発射装置５４の駆動が開始されると、パチンコ球発射装置５４の発射用ソレノイド５８の励磁タイミングに同期して球送りユニット５５のソレノイド６３の励磁が開始される。  ソレノイド６３が励磁されるとレバー６５の水平部６７上面の金属片 ７０が磁心６３ａ及びフレーム６３ｂの下端によって吸引されレバー６５は軸受け６６位置を基部として上方に揺動する。つまり、小突片７３から離間することとなる。この変位に伴ってパチンコ球Ｐを保持していた前記両角部１０２，１０３との間が開きパチンコ球Ｐは落下通路８０方向に落下する（図９（ｃ）及び図１０（ｃ）の状態）。落下したパチンコ球Ｐは傾斜面７１ａに案内されて発射用レール５３上に送り出される。  ソレノイド６３の励磁時間はごく短いため、レバー６５は励磁が解除されると自重によって下方に揺動し、再び図９（ａ）及び図１０（ａ）の小突片７３によって支持された状態に復帰する。落下したパチンコ球Ｐに続くパチンコ球Ｐはこの原状態に復帰したレバー６５と導入通路７６の前記両角部１０２，１０３によって待機位置で保持されることとなる。以下は、上記を繰り返すこととなる。  
【００２６】
このような球送りユニット５５の構成において、遊技者が誤って上受け皿３７に飲料水をこぼしてしまった場合を想定する。  飲料水は流下通路１００を流下し、球送りユニット５５の導入孔７５から内部に浸入する。この際、まず、第２遮蔽壁８３があるため、もし勢いよく飲料水が流入してきても飛沫がレバー６５方向に飛び散るのが極力防止される。これに加えてレバー６５の下垂部６８には第１遮蔽壁７２があるため落下通路８０を流下する飲料水のレバー６５の下側、つまり水平部６７と下垂部６８とによって区画される領域には及びにくくなっている。  そして、小突片７３は水平部６７の直下であってなおかつ水平部６７との当接面となる小突片７３上面は導入孔７５の最下縁部、つまり第１傾斜部７７と略同高さに配置されているため大量の飲料水が浸入したとしても小突片７３が汚染されることはない。また、図１５に示すように、小突片７３の導入孔７５側に隣接した位置には下垂部本体６９と下垂部本体６９から前方に突出した突出部６９ａが配置されるため更に飲料水が小突片７３方向に浸入することが防止されている。  また、球送りユニット５５はユニット化されて取り外しが簡単であるとともに、本体６０から蓋６１を取り外すことも簡単であるため、飲料水によって球送りユニット５５内部やその周辺が汚染された場合にはユニットベース９６から球送りユニット５５を取り外して汚れ落とし作業を容易に行える。  
【００２７】
本発明は以下のような態様に変更して実施することが可能である。  ・図１３及び図１４に示すように、小突片７３の位置を水平部６７と下垂部６８とによって区画される領域において変更することも可能である。ここでは上記実施の形態よりも小突片７３を若干下方位置に配置し、レバー６５側の小突片７３との当接部位の形状を変形させている。図１３の例では下垂部６８から水平に突出した突起体１０５を形成し、図１４の例では水平部６７と下垂部６８の交差位置から張り出す張り出し部１０６を形成させている。  ・上記球送りユニット５５は一例であって、パチンコ球を打ち出し位置に送るレバーであって常時は載置部に載置されソレノイドの励磁動作によって揺動させて載置部から離間させるようにしたものであれば他の形状のレバーに応用することも可能である。  ・上記実施の形態においてはいわゆる第１種始動口付きパチンコ遊技機に応用したが、パチンコ遊技機の種類は特に問わない。  その他、本発明の趣旨を逸脱しない態様で実施することは自由である。  
【００２８】
上記請求項に適宜追加可能な上記実施の形態から把握できる本発明のその他の技術的思想について下記に付記として説明する。（１）パチンコ球発射機構に遊技領域に向かってパチンコ球を発射させるために受け皿から流下通路を介して流下するパチンコ球を１つずつ同パチンコ球発射機構に供給するパチンコ遊技機用の球送り機構において、  前記球送り機構は、  前記流下通路を流下してきたパチンコ球を導入する導入口が形成された前方壁と、  磁気作用部が下方に向かって配置されたソレノイドと、  自身を揺動可能に支持する揺動軸と、同ソレノイドの磁気作用部による磁気力によって吸引される吸引部と、前記揺動軸との間に同吸引部を挟む側方位置に突設された球保持部とを備えたレバーとを有し、  同レバーは同レバーの吸引部が同磁気作用部から所定間隔離間した位置に配置されるとともに、前記導入口に面して形成された突部と前記球保持部との間でパチンコ球の径よりも狭い隘路が形成されてパチンコ球を保持できるように載置部上に載置される第１の状態と、  前記ソレノイドの吸着動作によって上方に揺動して前記突部と球保持部との間隔をパチンコ球の径以上の間隔とする第２の状態とを取りうるものとし、  前記載置部を前記球保持部の下方位置よりも前記回動軸寄りであって前記レバーの下面位置に配置させたことを特徴とするパチンコ遊技機用の球送り機構。（２）前記レバーは上面に前記吸引部が形成され略水平に延出された水平部と、同水平部から下垂され前記球送り機構内に導入されたパチンコ球を前記レール部材方向に導く傾斜面が形成された下垂部から構成される本体部を備え、前記載置部は同水平部及び下垂部によって区画された範囲内に配置されていることを特徴とする付記（１）に記載のパチンコ遊技機用の球送り機構。（３）前記導入口に面して形成されたパチンコ球の落下通路の上部位置であって、かつ前記レバーに隣接する位置には遮蔽壁が形成されていることを特徴とする付記（２）に記載のパチンコ遊技機用の球送り機構。（４）前記載置部の上面は前記導入口の最下縁部と略同高さとされていることを特徴とする付記（１）〜（３）のいずれかに記載のパチンコ遊技機用の球送り機構。（５）前記下垂部には前後方向に張り出した遮蔽壁が形成されていることを特徴とする付記（１）〜（４）のいずれかに記載のパチンコ遊技機用の球送り機構。
【図面の簡単な説明】
【００２９】
【図１】本発明を応用した実施の形態のパチンコ遊技機の正面図。
【図２】同じパチンコ遊技機の扉枠を取り外した状態の正面図。
【図３】同じパチンコ遊技機の発射機構部の拡大正面図。
【図４】図３における発射機構部の球送りユニットを前方に回動させた状態の正面図。
【図５】（ａ）及び（ｂ）は球送りユニットの左右側面図。
【図６】同じ球送りユニットの分解斜視図。
【図７】同じ球送りユニットの蓋の斜視図。
【図８】図３におけるＡ−Ａ線での断面図。
【図９】球送りユニット内のユニット本体内部のパチンコ球の状態を説明する説明図であって（ａ）はパチンコ球導入前、（ｂ）は導入されたパチンコ球が待機させられている状態、（ｃ）はソレノイドが励磁されてレバーが揺動してパチンコ球が落下し始めた状態。
【図１０】球送りユニット内のユニット本体内部のパチンコ球の状態を説明する縦断面図であって（ａ）はパチンコ球導入前、（ｂ）は導入されたパチンコ球が待機させられている状態、（ｃ）はソレノイドが励磁されてレバーが揺動してパチンコ球が落下し始めた状態。ガラスフレームの背面図。
【図１１】図９（ａ）のＢ−Ｂ線での断面図。
【図１２】レバーの正面図。
【図１３】他の実施の形態の要部拡大図。
【図１４】他の実施の形態の要部拡大図。
【図１５】従来の発射機構部の正面図。
【図１６】従来の発射機構部の球送りユニット部分の正面図。
【符号の説明】
【００３０】
１１…
パチンコ遊技機、３７…受け皿としての上受け皿、４９…パチンコ球通過領域、６３…ソレノイド、５３…レール部材としての発射レール、５５…球送り機構としての球送りユニット、６０ａ…前方壁、６５…レバー、７０…吸引部とされる金属片、７３…載置部としての小突片、７４…揺動軸としてのリベット、７５…導入口、１００…流下通路、１０２…球保持部としての角部、１０３…突部としての角部。
【図１】
0004730539.tif 000002
【図２】
0004730539.tif 000003
【図３】
0004730539.tif 000004
【図４】
0004730539.tif 000005
【図５】
0004730539.tif 000006
【図６】
0004730539.tif 000007
【図７】
0004730539.tif 000008
【図８】
0004730539.tif 000009
【図９】
0004730539.tif 000010
【図１０】
0004730539.tif 000011
【図１１】
0004730539.tif 000012
【図１２】
0004730539.tif 000013
【図１３】
0004730539.tif 000014
【図１４】
0004730539.tif 000015
【図１５】
0004730539.tif 000016
【図１６】
0004730539.tif 000017